(57)【要約】【課題】効率のよい集光を実現する。【解決手段】発光装置１００は、Ｚ方向に対して開口する凹面鏡１１０と、凹面鏡１１０の焦点ＣＰ１に向かって励起光ＬＴを照射する励起光源１４０と、Ｘ方向に沿った軸１３１を回転軸として回転する回転部１２０とを備える。回転部１２０は、該回転部１２０の一部が、凹面鏡１１０のスリットＳＬを介して、凹面鏡１１０の焦点ＣＰ１を通るように回転する。回転部１２０の少なくとも一部には、焦点ＣＰ１に到達する励起光ＬＴにより、回転部１２０の表側の面および裏側の面から光を発するように発光部１２２が設けられる。凹面鏡１１０は、回転部１２０の表側の面および裏側の面からの光を反射する位置に配置される。【選択図】図１
2012074242.tif 000002
【特許請求の範囲】
【請求項１】
第１方向に対して開口する凹面鏡と、
前記凹面鏡の内側の空間の一部である内部点に向かって励起光を照射する励起光源と、
前記第１方向に対し直交する第２方向に沿った軸を回転軸として回転する回転部とを備え、
前記回転部は、前記励起光源からの前記励起光により光を発する発光部を含み、
前記凹面鏡には、スリットが設けられており、
前記回転部は、該回転部の少なくとも一部が、前記スリットを介して、前記凹面鏡の前記内部点を通るように回転し、
前記回転部の少なくとも一部には、前記励起光源から前記内部点に到達する前記励起光により、前記回転部の表側の面および裏側の面から光を発するように前記発光部が設けられ、
前記凹面鏡は、前記回転部の表側の面および裏側の面からの光を反射する位置に配置される
発光装置。
【請求項２】
前記スリットは、前記凹面鏡の底部に設けられる
請求項１に記載の発光装置。
【請求項３】
前記軸は、前記凹面鏡の外部に配置される
請求項１または２に記載の発光装置。
【請求項４】
前記回転部は、支持部と、前記発光部とからなり、
前記支持部の形状は、円状であり、
前記発光部は、前記支持部の周縁部に形成される
請求項１〜３のいずれか１項に記載の発光装置。
【請求項５】
前記回転部は、支持部と、前記発光部とからなり、
前記支持部の形状は、円状であり、
前記発光部は、前記支持部の外周部に形成される
請求項１〜３のいずれか１項に記載の発光装置。
【請求項６】
前記支持部は、透明の材料からなる
請求項４または５に記載の発光装置。
【請求項７】
前記回転部全体において、前記発光部が形成される
請求項１〜３のいずれか１項に記載の発光装置。
【請求項８】
前記発光部は、前記励起光により、赤色光、緑色光および青色光のいずれかを発する
請求項１〜７のいずれか１項に記載の発光装置。
【請求項９】
前記発光部は、第１領域、第２領域および第３領域から形成され、
前記第１領域、前記第２領域および前記第３領域は、前記励起光により、それぞれ、赤色光、緑色光および青色光をそれぞれ発する
請求項１〜７のいずれか１項に記載の発光装置。
【請求項１０】
前記発光部は、前記励起光により、白色光を発する
請求項１〜７のいずれか１項に記載の発光装置。
【請求項１１】
前記励起光源は、前記凹面鏡の前記内部点を通る、前記回転部の少なくとも一部に対し前記励起光が直交するように、前記励起光を前記内部点へ照射する
請求項１〜１０のいずれか１項に記載の発光装置。
【請求項１２】
前記凹面鏡の形状は、該凹面鏡の内部に焦点を有する、放物面状であり、
前記内部点は前記焦点または該焦点の近傍の点である
請求項１〜１１のいずれか１項に記載の発光装置。
【請求項１３】
前記凹面鏡の形状は、該凹面鏡の内部に少なくとも1つの焦点を有する、楕円面状であり、
前記内部点は前記焦点または該焦点の近傍の点である
請求項１〜１１のいずれか１項に記載の発光装置。
【請求項１４】
前記励起光は、レーザ光である
請求項１〜１３のいずれか１項に記載の発光装置。
【請求項１５】
請求項１〜１４のいずれか１項に記載の発光装置を備える
プロジェクタ。
【発明の詳細な説明】
【技術分野】
【０００１】
本発明は、凹面鏡を用いて、光源からの光を反射する発光装置およびプロジェクタに関する。
【背景技術】
【０００２】
近年、会議等のプレゼンテーションにおいて、プロジェクタが多く利用されている。近年のプロジェクタは、ＤＭＤ（Digital Micro mirror Device）、液晶パネル等を利用したものが主流である。
【０００３】
また、光源の長寿命化のために、従来の高圧水銀ランプの代わりに、レーザ光源またはＬＥＤ（Light Emitting Diode）光源を利用したプロジェクタが主流になると予想される。レーザ光源とは、発光素子が発するレーザを利用した光源である。ＬＥＤ光源とは、発光素子としてのＬＥＤが発する光を利用した光源である。以下においては、レーザ光源またはＬＥＤ光源を、発光素子光源という。
【０００４】
特許文献１，２では、光源に発光素子光源を利用し、蛍光体（蛍光体層）を回転させることにより、当該蛍光体の温度上昇を抑制するための技術（以下、従来技術Ａという）が開示されている。
【先行技術文献】
【特許文献】
【０００５】
【特許文献１】特開２０１０−０８６８１５号公報
【特許文献２】米国特許第７５４７１１４号明細書
【発明の概要】
【発明が解決しようとする課題】
【０００６】
しかしながら、従来技術Ａでは、蛍光体層が発した光のうち、レンズが設けられた方向に向かう光のみを利用する構成であるため、集光の効率が非常に悪いという問題点があった。
【０００７】
本発明は、上述の問題点を解決するためになされたものであって、その目的は、効率のよい集光を実現することを可能とする発光装置等を提供することである。
【課題を解決するための手段】
【０００８】
上述の課題を解決するために、本発明の一態様に係る発光装置は、第１方向に対して開口する凹面鏡と、前記凹面鏡の内側の空間の一部である内部点に向かって励起光を照射する励起光源と、前記第１方向に対し直交する第２方向に沿った軸を回転軸として回転する回転部とを備え、前記回転部は、前記励起光源からの前記励起光により光を発する発光部を含み、前記凹面鏡には、スリットが設けられており、前記回転部は、該回転部の少なくとも一部が、前記スリットを介して、前記凹面鏡の前記内部点を通るように回転し、前記回転部の少なくとも一部には、前記励起光源から前記内部点に到達する前記励起光により、前記回転部の表側の面および裏側の面から光を発するように前記発光部が設けられ、前記凹面鏡は、前記回転部の表側の面および裏側の面からの光を反射する位置に配置される。
【０００９】
すなわち、発光装置は、第１方向に対して開口する凹面鏡と、凹面鏡の内部点に向かって励起光を照射する励起光源と、第２方向に沿った軸を回転軸として回転する回転部とを備える。回転部は、該回転部の少なくとも一部が、凹面鏡のスリットを介して、前記凹面鏡の前記内部点を通るように回転する。前記回転部の少なくとも一部には、前記内部点に到達する前記励起光により、前記回転部の表側の面および裏側の面から光を発するように前記発光部が設けられる。凹面鏡は、前記回転部の表側の面および裏側の面からの光を反射する位置に配置される。
【００１０】
したがって、凹面鏡は、前記回転部の表側の面および裏側の面の両方からの光を反射する。そのため、発光装置は、効率のよい集光を実現することができる。
【００１１】
また、好ましくは、前記スリットは、前記凹面鏡の底部に設けられる。
【００１２】
また、好ましくは、前記軸は、前記凹面鏡の外部に配置される。
【００１３】
また、好ましくは、前記回転部は、支持部と、前記発光部とからなり、前記支持部の形状は、円状であり、前記発光部は、前記支持部の周縁部に形成される。
【００１４】
また、好ましくは、前記回転部は、支持部と、前記発光部とからなり、前記支持部の形状は、円状であり、前記発光部は、前記支持部の外周部に形成される。
【００１５】
また、好ましくは、前記支持部は、透明の材料からなる。
【００１６】
また、好ましくは、前記回転部全体において、前記発光部が形成される。
【００１７】
また、好ましくは、前記発光部は、前記励起光により、赤色光、緑色光および青色光のいずれかを発する。
【００１８】
また、好ましくは、前記発光部は、第１領域、第２領域および第３領域から形成され、前記第１領域、前記第２領域および前記第３領域は、前記励起光により、それぞれ、赤色光、緑色光および青色光をそれぞれ発する。
【００１９】
また、好ましくは、前記発光部は、前記励起光により、白色光を発する。
【００２０】
また、好ましくは、前記励起光源は、前記凹面鏡の前記内部点を通る、前記回転部の少なくとも一部に対し前記励起光が直交するように、前記励起光を前記内部点へ照射する。
【００２１】
これにより、前記凹面鏡の前記内部点を通る、前記回転部の少なくとも一部に設けられる発光部が発する光の量を、最大限にすることができる。
【００２２】
また、好ましくは、前記凹面鏡の形状は、該凹面鏡の内部に焦点を有する、放物面状であり、前記内部点は前記焦点または該焦点の近傍の点である。
【００２３】
また、好ましくは、前記凹面鏡の形状は、該凹面鏡の内部に少なくとも1つの焦点を有する、楕円面状であり、前記内部点は前記焦点または該焦点の近傍の点である。
【００２４】
また、好ましくは、前記励起光は、レーザ光である。
【００２５】
本発明の一態様に係るプロジェクタは、前記発光装置を備える。
【発明の効果】
【００２６】
本発明により、効率のよい集光を実現することができる。
【図面の簡単な説明】
【００２７】
【図１】第１の実施の形態に係る発光装置の構成を示す断面図である。
【図２】第１の実施の形態に係る凹面鏡の上面図である。
【図３】第１の実施の形態に係る発光装置の断面図である。
【図４】第１の実施の形態に係る回転部の構成の一例を示す図である。
【図５】焦点の周辺部分の拡大図である。
【図６】第１の実施の形態の変形例１に係る発光装置の構成を示す断面図である。
【図７】第１の実施の形態の変形例１に係る発光装置の構成を示す断面図である。
【図８】凹面鏡の分光反射特性を示す図である。
【図９】一例としての回転部の構成を示す図である。
【図１０】一例としての回転部の構成を示す図である。
【図１１】回転部の端部の拡大図である。
【図１２】一例としての回転部の構成を示す図である。
【図１３】第２の実施の形態に係るプロジェクタの概略構成を示す図である。
【図１４】第２の実施の形態の変形例に係るプロジェクタの概略構成を示す図である。
【図１５】一例としての光学部の構成を示す図である。
【図１６】一例としての光学部の構成を示す図である。
【図１７】一例としての光学部の構成を示す図である。
【発明を実施するための形態】
【００２８】
以下、図面を参照しつつ、本発明の実施の形態について説明する。以下の説明では、同一の構成要素には同一の符号を付してある。それらの名称および機能も同じである。したがって、それらについての詳細な説明を省略する場合がある。
【００２９】
なお、実施の形態において例示される各構成要素の寸法、材質、形状、それらの相対配置などは、本発明が適用される装置の構成や各種条件により適宜変更されるものであり、本発明はそれらの例示に限定されるものではない。また、各図における各構成要素の寸法は、実際の寸法と異なる場合がある。
【００３０】
＜第１の実施の形態＞
図１は、第１の実施の形態に係る発光装置１００の構成を示す断面図である。発光装置１００は、光を発する装置である。図１において、Ｘ，Ｙ，Ｚ方向の各々は、互いに直交する。以下の図に示されるＸ，Ｙ，Ｚ方向の各々も、互いに直交する。
【００３１】
以下においては、Ｘ，Ｙ，Ｚ方向にそれぞれ沿った３つの線を、Ｘ方向線、Ｙ方向線およびＺ方向線ともいう。例えば、Ｚ方向線は、Ｚ方向に沿った線である。
【００３２】
なお、図１には、説明のために、発光装置１００の構成要素に含まれないモータ１３０が示される。モータ１３０には、Ｘ方向に延在する軸１３１が設けられる。モータ１３０は、軸１３１を回転させる。
【００３３】
図１を参照して、発光装置１００は、凹面鏡１１０と、回転部１２０とを含む。
【００３４】
凹面鏡１１０の内側の表面には鏡が形成される。凹面鏡１１０は、当該凹面鏡１１０の内部に焦点ＣＰ１を有する。焦点ＣＰ１は、凹面鏡１１０の内側の領域内の点である。すなわち、焦点ＣＰ１は、凹面鏡１１０の内側の空間の一部である内部点である。焦点ＣＰ１は、一例として、凹面鏡１１０の底面から焦点ＣＰ１までの距離ｄ１が、例えば、１０ｍｍとなるような位置に存在する。すなわち、凹面鏡１１０の形状は、該凹面鏡１１０の内部に焦点ＣＰ１を有する、放物面状である。
【００３５】
凹面鏡１１０は、Ｚ方向としての第１方向に対して開口する。
【００３６】
図２は、第１の実施の形態に係る凹面鏡１１０の上面図である。凹面鏡１１０の直径は、例えば、６５ｍｍである。
【００３７】
図３は、第１の実施の形態に係る発光装置１００の断面図である。具体的には、図３は、Ｚ−Ｙ平面における発光装置１００の断面図である。
【００３８】
図１、図２および図３を参照して、各構成要素について説明する。凹面鏡１１０の底部には、スリットＳＬが設けられる。
【００３９】
回転部１２０の一部が、スリットＳＬを介して、凹面鏡１１０の内部に配置されるよう、回転部１２０は配置される。
【００４０】
回転部１２０は、支持部１２１と、蛍光部１２２とからなる。
【００４１】
図４は、第１の実施の形態に係る回転部１２０の構成の一例を示す図である。
【００４２】
図４（ａ）は、回転部１２０の平面図である。
【００４３】
図４（ｂ）は、回転部１２０の断面図である。
【００４４】
図４（ａ）、図４（ｂ）を参照して、回転部１２０の形状は、平面状（板形状）である。また、回転部１２０の形状は、円状である。また、支持部１２１の形状は、円状である。支持部１２１の直径は、一例として、３４ｍｍである。回転部１２０の直径は、支持部１２１の直径と同じである。支持部１２１は、透明の材料からなる。当該透明の材料は、例えば、ガラス、シリコン、樹脂等である。
【００４５】
支持部１２１の周縁部には、蛍光部１２２が形成される。すなわち、発光部としての蛍光部１２２は、回転部１２０（支持部１２１）の周縁部に形成される。図４（ａ）における蛍光部１２２の幅は、例えば、４ｍｍである。蛍光部１２２の外周の円の直径は、一例として、３４ｍｍである。
【００４６】
蛍光部１２２は、蛍光体からなる。当該蛍光体は、例えば、赤色蛍光体、緑色蛍光体、青色蛍光体等である。
【００４７】
赤色蛍光体は、当該赤色蛍光体に励起光が照射されることにより、赤色光を発する蛍光体である。励起光とは、蛍光体を励起させるための光である。赤色蛍光体は、例えば、Ｅｕ付活アルカリ土類金属ニトリドシリケートである。赤色蛍光体が発する赤色光のピーク波長は、６００−６５０ｎｍである。蛍光部１２２が赤色蛍光体からなる場合、発光部（蛍光部１２２）は、励起光により、赤色光を発する。
【００４８】
緑色蛍光体は、当該緑色蛍光体に励起光が照射されることにより、緑色光を発する蛍光体である。緑色蛍光体は、例えば、Ｅｕ付活アルカリ土類金属シリケートである。緑色蛍光体が発する緑色光のピーク波長は、５００−５５０ｎｍである。蛍光部１２２が緑色蛍光体からなる場合、発光部（蛍光部１２２）は、励起光により、緑色光を発する。
【００４９】
青色蛍光体は、当該青色蛍光体に励起光が照射されることにより、青色光を発する蛍光体である。青色蛍光体は、例えば、Ｅｕ付活ストロンチウムニトリドシリコンである。青色蛍光体が発する青色光のピーク波長は、４４０−４７０ｎｍである。蛍光部１２２が青色蛍光体からなる場合、発光部（蛍光部１２２）は、励起光により、青色光を発する。
【００５０】
支持部１２１の中心部には、孔Ｈ１０が形成される。モータ１３０の軸１３１の一部は孔Ｈ１０を貫通し、軸１３１と、支持部１２１とは固定される。軸１３１は、Ｘ方向に沿って延在する。これにより、軸１３１が回転することにより、回転部１２０が回転する。
【００５１】
すなわち、回転部１２０は、第１方向（Ｚ方向）に対し直交する第２方向（Ｘ方向）に沿った軸１３１を回転軸として回転する。回転軸としての軸１３１は、凹面鏡１１０の外部に配置される。
【００５２】
これにより、回転部１２０は、該回転部１２０の少なくとも一部（例えば、蛍光部１２２）が、スリットＳＬを介して、凹面鏡１１０の内部点（焦点ＣＰ１）を通るように回転する。
【００５３】
なお、軸１３１が、凹面鏡１１０の内部に配置されるように、回転部１２０は配置されてもよい。
【００５４】
次に、焦点部分について詳細に説明する。
【００５５】
図５は、焦点ＣＰ１の周辺部分の拡大図である。
【００５６】
図５を参照して、回転部１２０は、焦点ＣＰ１を通るＺ方向線と、回転部１２０のうち蛍光部１２２が形成された部分のＸ方向の中心を通るＺ方向線とが一致するように、配置される。すなわち、回転部１２０は、回転部１２０のうち蛍光部１２２が形成された部分のＸ方向の中心を通るＺ方向線が、焦点ＣＰ１を通るように配置される。
【００５７】
なお、回転部１２０の配置は、焦点ＣＰ１を通るＺ方向線が、回転部１２０のうち蛍光部１２２が形成された部分の近傍を通過するように配置されていれば、上記配置に限定されない。すなわち、焦点ＣＰ１を通るＺ方向線と、回転部１２０のうち蛍光部１２２が形成された部分のＸ方向の中心を通るＺ方向線とは、一致していなくてもよい。
【００５８】
再び、図１を参照して、発光装置１００は、さらに、励起光源１４０を含む。
【００５９】
励起光源１４０は、内部点（焦点ＣＰ１）に向かって励起光ＬＴを照射する。
【００６０】
なお、励起光ＬＴが照射される内部点は、焦点ＣＰ１と一致してなくてもよい。すなわち、該内部点は、焦点ＣＰ１の近傍の点であってもよい。すなわち、励起光ＬＴが照射される内部点は焦点ＣＰ１または該焦点ＣＰ１の近傍の点である。励起光ＬＴは、レーザ光である。なお、励起光ＬＴは、レーザ光に限定されず、蛍光体を励起させるための光であれば、他の形態の光（例えば、ＬＥＤが発する光）であってもよい。
【００６１】
凹面鏡１１０には、励起光源１４０からの励起光ＬＴを、凹面鏡１１０の内部に導くための導光部１１１が形成される。導光部１１１は孔である。導光部１１１のＺ方向の幅は、例えば、３ｍｍである。
【００６２】
なお、導光部１１１は孔に限定されず、例えば、レーザ光を透過させる透明な部材であってもよい。
【００６３】
励起光源１４０は、励起光ＬＴが、導光部１１１を介して、Ｘ方向に沿って、焦点ＣＰ１に到達するように、励起光源１４０の外部に配置される。前述したように、回転部１２０は、焦点ＣＰ１を通るＺ方向線と、回転部１２０のうち蛍光部１２２が形成された部分のＸ方向の中心を通るＺ方向線とが一致するように、配置される。また、前述したように、回転部１２０は、該回転部１２０の少なくとも一部が、凹面鏡１１０の内部点（焦点ＣＰ１）を通るように回転する。
【００６４】
すなわち、励起光源１４０は、凹面鏡１１０の内部点（焦点ＣＰ１）を通る、回転部１２０の少なくとも一部（例えば、回転部１２０の周縁部）に対し励起光ＬＴが直交するように、励起光ＬＴを内部点（焦点ＣＰ１）へ照射する。
【００６５】
これにより、蛍光部１２２は励起され、蛍光部１２２は、当該蛍光部１２２の表側の面および裏側の面から光を発する。すなわち、発光部（蛍光部１２２）は、励起光源１４０からの励起光ＬＴにより光を発する。なお、蛍光部１２２に対し、励起光ＬＴが直交するように照射される構成とすることにより、発光部（蛍光部１２２）が発する光の量を、最大限にすることができる。
【００６６】
前述したように、支持部１２１は、透明の材料からなる。そのため、回転部１２０は、当該回転部１２０の表側の面および裏側の面から光を発する。
【００６７】
すなわち、回転部１２０の回転時に凹面鏡１１０の内部点（焦点ＣＰ１）を通る、回転部１２０の少なくとも一部（回転部１２０の周縁部）には、励起光源１４０から内部点（焦点ＣＰ１）に到達する励起光ＬＴにより、回転部１２０の表側の面および裏側の面から光を発するように発光部（蛍光部１２２）が設けられる。
【００６８】
図１、図３に示されるように、回転部１２０の表側の面および裏側の面からの光は、凹面鏡１１０の内側の面（鏡）によりＺ方向へ反射する。すなわち、凹面鏡１１０は、回転部１２０の表側の面および裏側の面からの光を反射する位置に配置される。
【００６９】
以上説明したように、本実施の形態では、凹面鏡１１０の焦点ＣＰ１に照射される励起光ＬＴにより、回転部１２０の表側の面および裏側の面の両方から発した光を、凹面鏡１１０により、Ｚ方向へ反射させる。すなわち、発光装置１００は、回転部１２０の表側の面および裏側の面の両方から発した光の大部分を有効に活用して、Ｚ方向へ光を発する。
【００７０】
したがって、効率のよい集光を実現することができる。
【００７１】
また、本実施の形態では、励起光として、レーザ光を用いているため、レーザ光により、蛍光部１２２における極小さいスポットを照射することが可能である。したがって、蛍光部１２２の発光部分も極小とすることができる。また、蛍光部１２２の発光部分が、凹面鏡１１０の焦点ＣＰ１に位置するので、効率よく集光できる。
【００７２】
なお、本実施の形態における構成では、ダイクロイック層を用いないため、光がダイクロイック層等で反射することがなく、光の拡散・減衰等が生じない。
【００７３】
また、蛍光部１２２が形成される回転部１２０が回転することにより、当該蛍光部１２２も回転する。そのため、レーザ光により、蛍光部１２２の極小さいスポットを照射しても、当該蛍光部１２２の温度上昇を防ぐことができる。その結果、蛍光部１２２の発光効率が落ちることなく、蛍光部１２２の経時劣化も抑えることができる。
【００７４】
なお、励起光源１４０の位置は、図１で示した位置に限定されず、励起光ＬＴを焦点ＣＰ１に照射可能な位置であれば、他の位置（例えば、凹面鏡１１０の上方）であってもよい。
【００７５】
＜第１の実施の形態の変形例１＞
次に、第１の実施の形態の変形例１に係る発光装置について説明する。
【００７６】
図６は、第１の実施の形態の変形例１に係る発光装置１００Ａの構成を示す断面図である。
【００７７】
図７は、第１の実施の形態の変形例１に係る発光装置１００Ａの構成を示す断面図である。具体的には、図７は、Ｚ−Ｙ平面における発光装置１００Ａの断面図である。
【００７８】
図６および図７を参照して、発光装置１００Ａは、図１の発光装置１００と比較して、凹面鏡１１０の代わりに凹面鏡１１０Ａを備える点が異なる。それ以外の発光装置１００Ａの構成は、発光装置１００と同様なので詳細な説明は繰り返さない。
【００７９】
凹面鏡１１０Ａは、凹面鏡１１０と比較して、形状が異なる。それ以外の凹面鏡１１０Ａの構成は、凹面鏡１１０と同様なので詳細な説明は繰り返さない。
【００８０】
すなわち、凹面鏡１１０Ａは、Ｚ方向としての第１方向に対して開口する。また、凹面鏡１１０Ａには、スリットＳＬおよび導光部１１１が設けられる。凹面鏡１１０Ａの直径は、例えば、６５ｍｍである。
【００８１】
凹面鏡１１０Ａは、当該凹面鏡１１０Ａの外部に焦点ＣＰ２１を有する。焦点ＣＰ２１は、一例として、凹面鏡１１０Ａの底面から焦点ＣＰ２１までの距離ｄ２が、例えば、１００ｍｍとなるような位置に存在する。また、凹面鏡１１０Ａは、当該凹面鏡１１０Ａの内部に、内部点ＣＰ２と同じ位置の焦点を有する。
【００８２】
すなわち、凹面鏡１１０Ａの形状は、該凹面鏡１１０Ａの外部に焦点ＣＰ２１を有する、楕円面状である。また、凹面鏡１１０Ａの形状は、凹面鏡１１０Ａの内部に少なくとも1つの焦点を有する、楕円面状である。以下においては、当該凹面鏡１１０Ａの内部の焦点を、内部焦点ともいう。
【００８３】
図８は、凹面鏡の分光反射特性を示す図である。凹面鏡１１０Ａは、一例として、図８の分光反射特性を有する凹面鏡である。図８において、縦軸は反射率を示し、横軸は光の波長を示す。
【００８４】
再び、図６、図７を参照して、発光装置１００Ａでは、発光装置１００と同様に、回転部１２０が設けられる。回転部１２０の構成については、前述したので詳細な説明は繰り返さない。
【００８５】
凹面鏡１１０Ａの内部には、内部点ＣＰ２が設けられる。内部点ＣＰ２は、凹面鏡１１０の焦点ＣＰ１に相当する。内部点ＣＰ２は、一例として、凹面鏡１１０Ａの底面から内部点ＣＰ２までの距離ｄ１が、例えば、１０ｍｍとなるような位置に存在する。
【００８６】
すなわち、回転部１２０は、該回転部１２０の一部（例えば、蛍光部１２２）が、スリットＳＬを介して、凹面鏡１１０Ａの内部点ＣＰ２を通るように回転する。
【００８７】
また、励起光源１４０は、内部点ＣＰ２に向かって励起光ＬＴを照射する。
【００８８】
すなわち、励起光源１４０は、凹面鏡１１０Ａの内部点ＣＰ２を通る、回転部１２０の少なくとも一部に対し励起光ＬＴが直交するように、励起光ＬＴを内部点ＣＰ２へ照射する。
【００８９】
これにより、蛍光部１２２は励起され、蛍光部１２２は、当該蛍光部１２２の表側の面および裏側の面から光を発する。すなわち、発光部（蛍光部１２２）は、励起光源１４０からの励起光ＬＴにより光を発する。
【００９０】
なお、励起光ＬＴが照射される内部点ＣＰ２は、凹面鏡１１０Ａの内部焦点と一致してなくてもよい。すなわち、内部点ＣＰ２は、凹面鏡１１０Ａの内部焦点の近傍の点であってもよい。すなわち、励起光ＬＴが照射される内部点ＣＰ２は内部焦点または該内部焦点の近傍の点である。
【００９１】
支持部１２１は、透明の材料からなる。そのため、回転部１２０は、当該回転部１２０の表側の面および裏側の面から光を発する。
【００９２】
すなわち、回転部１２０の回転時に凹面鏡１１０Ａの内部点ＣＰ２を通る、回転部１２０の少なくとも一部（回転部１２０の周縁部）には、励起光源１４０から内部点ＣＰ２に到達する励起光ＬＴにより、回転部１２０の表側の面および裏側の面から光を発するように発光部（蛍光部１２２）が設けられる。
【００９３】
図６、図７に示されるように、回転部１２０の表側の面および裏側の面からの光は、凹面鏡１１０Ａの内側の面（鏡）により焦点ＣＰ２１に向かうように反射する。すなわち、凹面鏡１１０Ａは、回転部１２０の表側の面および裏側の面からの光を反射する位置に配置される。
【００９４】
以上説明したように、本実施の形態の変形例１では、凹面鏡１１０Ａの内部点ＣＰ２に照射される励起光ＬＴにより、回転部１２０の表側の面および裏側の面の両方から発した光を、凹面鏡１１０Ａにより、焦点ＣＰ２１の方向へ反射させる。すなわち、発光装置１００Ａは、回転部１２０の表側の面および裏側の面の両方から発した光の大部分を有効に活用して、Ｚ方向へ光を発する。したがって、効率のよい集光を実現することができる。
【００９５】
（回転部の変形例１）
前述した発光装置１００，１００Ａにおいて、回転部１２０の代わりに以下の回転部１２０Ｎが使用されてもよい。
【００９６】
図９は、一例としての回転部１２０Ｎの構成を示す図である。
【００９７】
図９（ａ）は、回転部１２０Ｎの平面図である。
【００９８】
図９（ｂ）は、回転部１２０Ｎの断面図である。
【００９９】
図９（ａ）、図９（ｂ）を参照して、回転部１２０Ｎは、図４の回転部１２０と比較して、蛍光部１２２の代わりに蛍光部１２２Ｎを含む点が異なる。それ以外の回転部１２０Ｎの構成は、回転部１２０と同様なので詳細な説明は繰り返さない。なお、回転部１２０Ｎの形状は、平面状（板形状）である。
【０１００】
蛍光部１２２Ｎのサイズおよび形状は、蛍光部１２２と同じである。図９（ａ）における蛍光部１２２Ｎの幅は、例えば、４ｍｍである。
【０１０１】
蛍光部１２２Ｎは、赤色蛍光領域１２２Ｒと、緑色蛍光領域１２２Ｇと、青色蛍光領域１２２Ｂとからなる。すなわち、発光部（蛍光部１２２Ｎ）は、第１領域（赤色蛍光領域１２２Ｒ）、第２領域（緑色蛍光領域１２２Ｇ）および第３領域（青色蛍光領域１２２Ｂ）から形成される。
【０１０２】
赤色蛍光領域１２２Ｒは、前述した赤色蛍光体からなる。緑色蛍光領域１２２Ｇは、前述した緑色蛍光体からなる。青色蛍光領域１２２Ｂは、前述した青色蛍光体からなる。このような構成の回転部１２０Ｎが回転することにより、当該回転部１２０Ｎは、励起光源１４０からの励起光ＬＴにより、赤色光、緑色光および青色光を、順次、発する。
【０１０３】
すなわち、第１領域（赤色蛍光領域１２２Ｒ）、第２領域（緑色蛍光領域１２２Ｇ）および第３領域（青色蛍光領域１２２Ｂ）は、励起光ＬＴにより、それぞれ、赤色光、緑色光および青色光をそれぞれ発する。
【０１０４】
以下においては、励起光により、赤色光、緑色光および青色光を、順次、発する回転部を、３色回転部という。
【０１０５】
（回転部の変形例２）
また、前述した発光装置１００，１００Ａにおいて、回転部１２０の代わりに以下の回転部１２０Ａが使用されてもよい。
【０１０６】
図１０は、一例としての回転部１２０Ａの構成を示す図である。
【０１０７】
図１０（ａ）は、回転部１２０Ａの平面図である。
【０１０８】
図１０（ｂ）は、回転部１２０Ａの断面図である。
【０１０９】
図１０（ａ）、図１０（ｂ）を参照して、回転部１２０Ａ（支持部１２１）の形状は、平面状（板形状）である。また、回転部１２０Ａは、支持部１２１の外周部（側面部）に蛍光部１２２が形成された構成を有する。回転部１２０Ａ（支持部１２１）の形状は、円状である。支持部１２１は、透明の材料からなる。当該透明の材料は、例えば、ガラス、シリコン、樹脂等である。
【０１１０】
なお、回転部１２０Ａの中心部には、回転部１２０と同様に、孔Ｈ１０が形成される。モータ１３０の軸１３１の一部は孔Ｈ１０を貫通し、軸１３１と、回転部１２０Ａとは固定される。
【０１１１】
すなわち、回転部１２０Ａは、第１方向（Ｚ方向）に対し直交する第２方向（Ｘ方向）に沿った軸１３１を回転軸として回転する。
【０１１２】
これにより、回転部１２０Ａは、該回転部１２０Ａの一部（例えば、蛍光部１２２）が、スリットＳＬを介して、凹面鏡１１０（凹面鏡１１０Ａ）の内部点（焦点ＣＰ１または内部点ＣＰ２）を通るように回転する。
【０１１３】
図１１は、回転部１２０Ａの端部の拡大図である。図１１は、一例として、発光装置１００に設けられた回転部１２０Ａの端部の拡大図である。
【０１１４】
図１１を参照して、回転部１２０Ａは、焦点ＣＰ１を通るＺ方向線と、回転部１２０ＡのＸ方向の中心を通るＺ方向線とが一致するように、配置される。すなわち、回転部１２０Ａは、回転部１２０ＡのＸ方向の中心を通るＺ方向線が、焦点ＣＰ１を通るように配置される。
【０１１５】
なお、回転部１２０Ａの配置は、焦点ＣＰ１を通るＺ方向線が、回転部１２０ＡのＸ方向の中心の近傍を通過するように配置されていれば、上記配置に限定されない。すなわち、焦点ＣＰ１を通るＺ方向線と、回転部１２０ＡのＸ方向の中心を通るＺ方向線とは、一致していなくてもよい。
【０１１６】
なお、回転部１２０Ａが、発光装置１００Ａに設けられた場合は、上記の図１１の説明において、焦点ＣＰ１を、内部点ＣＰ２に置き換えた説明となるので詳細な説明は繰り返さない。
【０１１７】
以下においては、励起光により単色光を発する回転部を、単色回転部という。単色回転部は、例えば、図４の回転部１２０、図１０の回転部１２０Ａ等である。
【０１１８】
また、以下においては、励起光により赤色光を発する単色回転部を、赤色回転部という。また、以下においては、励起光により緑色光を発する単色回転部を、緑色回転部という。また、以下においては、励起光により青色光を発する単色回転部を、青色回転部という。また、以下においては、励起光により白色光を発する単色回転部を、白色回転部という。
【０１１９】
（回転部の変形例３）
なお、図１０の回転部１２０Ａの蛍光部１２２は、図９の蛍光部１２２Ｎのように、赤色蛍光領域１２２Ｒと、緑色蛍光領域１２２Ｇと、青色蛍光領域１２２Ｂとから構成されてもよい。
【０１２０】
また、図９の蛍光部１２２Ｎは、３つの蛍光領域に限定されず、例えば、６つの蛍光領域から構成されてもよい。この場合、蛍光部１２２Ｎには、赤色蛍光領域１２２Ｒ、緑色蛍光領域１２２Ｇ、青色蛍光領域１２２Ｂ、赤色蛍光領域１２２Ｒ、緑色蛍光領域１２２Ｇおよび青色蛍光領域１２２Ｂが、この順で、回転方向に形成される。
【０１２１】
また、図９の蛍光部１２２Ｎにおいて、各隣あう２つの蛍光領域（例えば、赤色蛍光領域１２２Ｒ、緑色蛍光領域１２２Ｇ）の間には、非発光部分が設けられてもよい。非発光部分は、発光体を含まない部分であり、励起光が照射されても光を発しない部分である。
【０１２２】
また、回転部１２０Ａにおいて、蛍光部１２２が設けられる箇所は、回転部１２０Ａの外周部に限定されず、回転部１２０Ａ全体であってもよい。この場合、回転部１２０Ａは、例えば、シリコンに蛍光体が分散された構成を有する。また、この場合、回転部１２０Ａは、例えば、ガラスに蛍光体が分散された構成を有する。
【０１２３】
また、図４の回転部１２０において、蛍光部１２２が設けられる箇所は、回転部１２０（支持部１２１）の周縁部に限定されず、回転部１２０（支持部１２１）全体であってもよい。
【０１２４】
また、図９の回転部１２０Ｎにおいて、蛍光部１２２Ｎが設けられる箇所は、回転部１２０（支持部１２１）の周縁部に限定されず、図１２のように、回転部全体であってもよい。この場合、回転部全体において、発光部が形成される。
【０１２５】
また、回転部全体において形成される発光部は、赤色蛍光体、緑色蛍光体および青色蛍光体が、ほぼ同じ比率で混合されたものであってもよい。この場合、回転部の蛍光部は、励起光が照射されることにより、白色光を発する。すなわち、この場合、発光部は、励起光ＬＴにより、白色光を発する。
【０１２６】
また、図４の回転部１２０の蛍光部１２２は、赤色蛍光体、緑色蛍光体および青色蛍光体が、ほぼ同じ比率で混合されたものであってもよい。この場合、図４の回転部１２０の蛍光部１２２は、励起光が照射されることにより、白色光を発する。すなわち、この場合、発光部としての蛍光部１２２は、励起光により、白色光を発する。この白色光を発する構成の回転部１２０は、白色回転部である。
【０１２７】
また、図１０の回転部１２０Ａの蛍光部１２２は、赤色蛍光体、緑色蛍光体および青色蛍光体が、ほぼ同じ比率で混合されたものであってもよい。この場合、図１０の回転部１２０Ａの蛍光部１２２は、励起光が照射されることにより、白色光を発する。この白色光を発する構成の回転部１２０Ａは、白色回転部である。
【０１２８】
前述の発光装置１００または発光装置１００Ａにおいて、回転部１２０の代わりに、回転部の変形例１〜３で説明した回転部を用いた場合においても、第１の実施の形態と同様な効果を得ることができる。すなわち、効率のよい集光を実現することができる。
【０１２９】
＜第２の実施の形態＞
次に、第２の実施の形態では、第１の実施の形態、第１の実施の形態の変形例１に係る発光装置を光源として利用するプロジェクタについて説明する。
【０１３０】
図１３は、第２の実施の形態に係るプロジェクタ３５の概略構成を示す図である。プロジェクタ３５は、当該プロジェクタ３５の前方に設置されたスクリーン（図示せず）に、画像を投影するフロントプロジェクタである。
【０１３１】
プロジェクタ３５は、例えば、ＤＬＰプロジェクタ、液晶プロジェクタ、ＬＣＯＳ（Liquid Crystal On Silicon）プロジェクタ等である。ＤＬＰプロジェクタは、ＤＭＤを利用したプロジェクタである。液晶プロジェクタは、液晶パネルを利用したプロジェクタである。ＬＣＯＳプロジェクタは、ＬＣＯＳを利用したプロジェクタである。
【０１３２】
なお、図１３は、後述の筐体３６の天板を取り除いた状態を示している。
【０１３３】
プロジェクタ３５は、ランプユニット２７と、光学ユニット３７と、制御ユニット３８と、投射レンズ３９と、冷却ファンユニット４０と、電源ユニット４１とを備える。
【０１３４】
ランプユニット２７、光学ユニット３７、制御ユニット３８、投射レンズ３９、冷却ファンユニット４０および電源ユニット４１は、筐体３６に収納される。
【０１３５】
ランプユニット２７は、前述の発光装置１００または発光装置１００Ａである。ランプユニット２７は、光学ユニット３７へ光を照射する。
【０１３６】
光学ユニット３７は、図示しない照明ユニットおよび画像形成ユニットを有する。照明ユニットは、ランプユニット２７からの入射光を画像形成ユニットに照射する。照明ユニットは、例えば、入射光を３原色に分解し、分解した光を画像形成ユニットに照射する。
【０１３７】
画像形成ユニットは、照明ユニットからの入射光を変調して画像を形成する。
【０１３８】
制御ユニット３８は、画像形成ユニット等を駆動制御する。
【０１３９】
投射レンズ３９は、画像形成ユニットにより変調されて形成された光学像を、図示しないスクリーンに拡大投射する。
【０１４０】
電源ユニット４１は、商用電源から供給される電力を、制御ユニット３８およびランプユニット２７に適した電力に変換し、変換した電力を、制御ユニット３８およびランプユニット２７へ供給する。
【０１４１】
冷却ファンユニット４０は、冷却ファンを利用して、ランプユニット２７を冷却する。
【０１４２】
以上、第２の実施の形態に係るプロジェクタ３５は、発光装置１００または発光装置１００Ａを用いている。そのため、効率のよい集光を実現した発光装置が発する光を利用したプロジェクタを実現することができる。
【０１４３】
＜第２の実施の形態の変形例＞
次に、第２の実施の形態の変形例では、第１の実施の形態、第１の実施の形態の変形例１に係る発光装置を光源として利用する、第２の実施の形態と異なるプロジェクタについて説明する。
【０１４４】
図１４は、第２の実施の形態の変形例に係るプロジェクタ４２の概略構成を示す図である。プロジェクタ４２は、スクリーンの裏面に画像を投影するリアプロジェクタである。
【０１４５】
図１４を参照して、プロジェクタ４２は、透過式スクリーン４４と、ランプユニット２７と、図示しない光学ユニット、投射レンズ、ミラーおよび高圧放電ランプ点灯装置等とを含む。ランプユニット２７、光学ユニット、投射レンズ、ミラーおよび高圧放電ランプ点灯装置等は、筐体４３に収納される。
【０１４６】
ランプユニット２７は、前述の発光装置１００または発光装置１００Ａである。
【０１４７】
プロジェクタ４２では、投射レンズから投射され、ミラーで反射された画像が、透過式スクリーン４４の裏面に投影され、画像表示される。
【０１４８】
（光学部の構成例１）
次に、第２の実施の形態または第２の実施の形態の変形例におけるプロジェクタに含まれる光学部の構成について説明する。
【０１４９】
図１５は、一例としての光学部４００の構成を示す図である。光学部４００は、例えば、図１３の光学ユニット３７およびランプユニット２７に相当する。
【０１５０】
図１５を参照して、光学部４００は、発光装置４１Ｒ，４１Ｇ，４１Ｂと、ＬＣＤ（Liquid Crystal Display）部４２０Ｒ，４２０Ｇ，４２０Ｂと、ダイクロイックプリズム４３０と、投射レンズ４４０とを備える。
【０１５１】
発光装置４１Ｒ，４１Ｇ，４１Ｂの各々は、例えば、前述の単色回転部を備える発光装置１００または発光装置１００Ａに相当する。すなわち、第２の実施の形態または第２の実施の形態の変形例におけるプロジェクタプロジェクタに含まれる光学部４００は、発光装置を備える。
【０１５２】
発光装置４１Ｒは、励起光源４１０Ｒと、赤色蛍光部４１１Ｒと、図示しないと凹面鏡とを含む。発光装置４１Ｇは、励起光源４１０Ｇと、緑色蛍光部４１１Ｇと、図示しないと凹面鏡とを含む。発光装置４１Ｂは、励起光源４１０Ｂと、青色蛍光部４１１Ｂと、図示しないと凹面鏡とを含む。
【０１５３】
発光装置４１Ｒ，４１Ｂ，４１Ｇの各々に含まれる凹面鏡は、例えば、凹面鏡１１０または凹面鏡１１０Ａである。
【０１５４】
励起光源４１０Ｒ，４１０Ｇ，４１０Ｂは、それぞれ、赤色蛍光部４１１Ｒ、緑色蛍光部４１１Ｇおよび青色蛍光部４１１Ｂへ、励起光を照射する。励起光源４１０Ｒ，４１０Ｇ，４１０Ｂの各々は、例えば、図１の励起光源１４０に相当する。
【０１５５】
赤色蛍光部４１１Ｒ、緑色蛍光部４１１Ｇおよび青色蛍光部４１１Ｂは、それぞれ、前述の赤色回転部、緑色回転部および青色回転部に相当する。
【０１５６】
励起光により、赤色蛍光部４１１Ｒが発する赤色光は、発光装置４１Ｒ内の図示しない凹面鏡に反射され、ＬＣＤ部４２０Ｒを透過し、ダイクロイックプリズム４３０に到達する。
【０１５７】
励起光により、緑色蛍光部４１１Ｇが発する緑色光は、発光装置４１Ｇ内の図示しない凹面鏡に反射され、ＬＣＤ部４２０Ｇを透過し、ダイクロイックプリズム４３０に到達する。励起光により、青色蛍光部４１１Ｂが発する青色光は、発光装置４１Ｂ内の図示しない凹面鏡に反射され、ＬＣＤ部４２０Ｂを透過し、ダイクロイックプリズム４３０に到達する。
【０１５８】
ダイクロイックプリズム４３０は、入射される３種類の光を合成し、合成された光を、投射レンズ４４０に導く。投射レンズ４４０は、例えば、図１３の投射レンズ３９に相当する。投射レンズ４４０は、入射された光を、図示しない外部のスクリーンへ投射する。
【０１５９】
上記各構成の動作により、スクリーンに画像が表示される。
【０１６０】
なお、光学部４００における光の経路には、レンズが設けられてもよいし、光ファイバーが設けられてもよい。
【０１６１】
（光学部の構成例２）
次に、第２の実施の形態または第２の実施の形態の変形例におけるプロジェクタに含まれる光学部の他の構成について説明する。
【０１６２】
図１６は、一例としての光学部４００Ａの構成を示す図である。光学部４００Ａは、例えば、図１３の光学ユニット３７およびランプユニット２７に相当する。
【０１６３】
図１６を参照して、光学部４００Ａは、図１５の光学部４００と比較して、発光装置４１Ｒ，４１Ｂ，４１Ｇの代わりに発光装置４１Ｎを備える点と、ハーフミラー４５１，４５２およびミラー４５３，４５４，４５５をさらに備える点とが異なる。それ以外の光学部４００Ａの構成は、光学部４００と同様なので詳細な説明は繰り返さない。
【０１６４】
発光装置４１Ｎは、前述の白色回転部を備える発光装置１００または発光装置１００Ａに相当する。すなわち、第２の実施の形態または第２の実施の形態の変形例におけるプロジェクタに含まれる光学部４００Ａは、発光装置を備える。
【０１６５】
発光装置４１Ｎは、励起光源４１０Ｎと、白色蛍光部４１１Ｗと、図示しないと凹面鏡とを含む。発光装置４１Ｎに含まれる凹面鏡は、例えば、凹面鏡１１０または凹面鏡１１０Ａである。
【０１６６】
励起光源４１０Ｎは、白色蛍光部４１１Ｗへ、励起光を照射する。励起光源４１０Ｎは、例えば、図１の励起光源１４０に相当する。また、白色蛍光部４１１Ｗは、前述の白色回転部に相当する。
【０１６７】
励起光により、白色蛍光部４１１Ｗが発する白色光は、発光装置４１Ｎ内の図示しない凹面鏡に反射され、反射された当該白色光は、ハーフミラー４５１に照射される。
【０１６８】
これにより、緑色光および赤色光が得られる。赤色光は、ミラー４５３により反射し、ＬＣＤ部４２０Ｒを透過し、ダイクロイックプリズム４３０に到達する。
【０１６９】
当該緑色光は、ハーフミラー４５２へ照射される。これにより、青色光が得られる。また、緑色光は、ハーフミラー４５２により、ＬＣＤ部４２０Ｇを透過し、ダイクロイックプリズム４３０に到達する。
【０１７０】
当該青色光は、ミラー４５４，４５５により反射し、ＬＣＤ部４２０Ｂを透過し、ダイクロイックプリズム４３０に到達する。
【０１７１】
ダイクロイックプリズム４３０は、入射される３種類の光を合成し、合成された光を、投射レンズ４４０に導く。投射レンズ４４０の動作は前述したので説明は繰り返さない。上記各構成の動作により、スクリーンに画像が表示される。
【０１７２】
なお、光学部４００Ａにおける光の経路には、レンズが設けられてもよいし、光ファイバーが設けられてもよい。
【０１７３】
（光学部の構成例３）
次に、第２の実施の形態または第２の実施の形態の変形例におけるプロジェクタに含まれる光学部の他の構成について説明する。
【０１７４】
図１７は、一例としての光学部５００の構成を示す図である。光学部５００は、ＤＬＰプロジェクタにおける光学ユニットおよびランプユニットに相当する。すなわち、光学部５００は、例えば、図１３の光学ユニット３７およびランプユニット２７に相当する。
【０１７５】
図１７を参照して、光学部５００は、発光装置５１と、ＤＭＤ５２０と、照射レンズ５４０とを備える。発光装置５１は、前述の３色回転部を備える発光装置１００または発光装置１００Ａに相当する。すなわち、第２の実施の形態または第２の実施の形態の変形例におけるプロジェクタに含まれる光学部５００は、発光装置を備える。
【０１７６】
発光装置５１は、励起光源５１０と、蛍光部５１１と、図示しないと凹面鏡とを含む。発光装置５１に含まれる凹面鏡は、例えば、凹面鏡１１０または凹面鏡１１０Ａである。
【０１７７】
励起光源５１０は、励起光を、蛍光部５１１へ照射する。励起光源５１０は、例えば、図１の励起光源１４０に相当する。
【０１７８】
蛍光部５１１は、例えば、３色回転部としての図９の回転部１２０Ｎに相当する。
【０１７９】
励起光により、蛍光部５１１が順次発する、赤色光、緑色光および青色光は、発光装置５１内の図示しない凹面鏡に順次反射され、当該反射された赤色光、緑色光および青色光は、ＤＭＤ５２０により順次反射され、投射レンズ５４０に到達する。
【０１８０】
投射レンズ５４０は、入射された赤色光、緑色光および青色光を、順次、図示しない外部のスクリーンへ投射する。上記各構成の動作により、スクリーンに画像が表示される。
【０１８１】
なお、光学部５００における光の経路には、レンズが設けられてもよいし、光ファイバーが設けられてもよい。
【０１８２】
（その他の変形例）
以上、本発明における発光装置について、実施の形態に基づいて説明したが、本発明は、これらの実施の形態に限定されるものではない。本発明の趣旨を逸脱しない限り、当業者が思いつく各種変形を本実施の形態に施したもの、あるいは異なる実施の形態における構成要素を組み合わせて構築される形態も、本発明の範囲内に含まれる。
【０１８３】
例えば、第１の実施の形態、第１の実施の形態の変形例１に係る発光装置は、プロジェクタに適用されるだけでなく、光を利用するその他の装置に適用可能である。当該その他の装置は、照明器具、自動車のヘッドランプ等である。
【０１８４】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【０１８５】
本発明は、効率のよい集光を実現することを可能とする発光装置として、利用することができる。
【符号の説明】
【０１８６】
Ｈ１０  孔
３５，４２  プロジェクタ
４１Ｂ，４１Ｇ，４１Ｎ，４１Ｒ，５１，１００，１００Ａ  発光装置
１１０，１１０Ａ  凹面鏡
１１１  導光部
１２０，１２０Ａ，１２０Ｎ  回転部
１２１  支持部
１２２，１２２Ｎ，５１１  蛍光部
１２２Ｒ  赤色蛍光領域
１２２Ｇ  緑色蛍光領域
１２２Ｂ  青色蛍光領域
１４０，４１０Ｂ，４１０Ｇ，４１０Ｎ，４１０Ｒ，５１０  励起光源
４００，４００Ａ，５００  光学部
【図１】
2012074242.tif 000003
【図２】
2012074242.tif 000004
【図３】
2012074242.tif 000005
【図４】
2012074242.tif 000006
【図５】
2012074242.tif 000007
【図６】
2012074242.tif 000008
【図７】
2012074242.tif 000009
【図８】
2012074242.tif 000010
【図９】
2012074242.tif 000011
【図１０】
2012074242.tif 000012
【図１１】
2012074242.tif 000013
【図１２】
2012074242.tif 000014
【図１３】
2012074242.tif 000015
【図１４】
2012074242.tif 000016
【図１５】
2012074242.tif 000017
【図１６】
2012074242.tif 000018
【図１７】
2012074242.tif 000019